(57)【特許請求の範囲】
【請求項１】
取付物のケースに設けた固定爪部材を、被取付物に設けた固定孔に挿入し、前記取付物を前記被取付物に固定させる固定構造であって、
前記固定爪部材は、ロック駒が挿入される押込穴を有し、
前記押込穴の内側壁には、該押込穴の内側に向って突出する隔壁が形成され、
前記ロック駒は、治具によって前記押込穴に押し込まれて前記隔壁を乗り越えた後、該治具と前記押込穴の底壁によって挟まれ拡径方向に変形することによって、前記押込穴への挿入方向とは反対方向への移動を妨げるように前記ロック駒が前記隔壁に係止するとともに、変形する前記ロック駒によって前記押込穴の内側から押圧される前記固定爪部材が前記固定孔に係止する、
ことを特徴とする取付物の固定構造。
【請求項２】
取付物のケースに設けた固定爪部材を、被取付物に設けた固定孔に挿入し、前記取付物を前記被取付物に固定させる固定構造であって、
前記固定爪部材は、ロック駒が挿入される押込穴を有し、
前記押込穴の内側壁には、該押込穴の内側に向って突出する隔壁が形成され、
前記ロック駒は、治具によって前記押込穴に押し込まれて前記隔壁を乗り越えた後、該治具と前記押込穴の底壁によって挟まれ変形することによって、前記押込穴への挿入方向とは反対方向への移動を妨げるように前記ロック駒が前記隔壁に係止するとともに、変形する前記ロック駒によって前記押込穴の内側から押圧される前記固定爪部材が前記固定孔に係止し、
前記取付物は、第１ケースと第２ケースを組み合わせて一体に形成され、
前記第１ケース及び第２ケースの一部はそれぞれ、前記固定爪部材の一部を形成するとともに、該第１ケース及び該第２ケースを組み合わせることによって前記ロック駒が挿入される前記押込穴が形成され、
前記隔壁は、前記押込穴を画成する前記第１ケースの内側壁の一部、または前記押込穴を画成する前記第２ケースの内側壁の一部に形成され、
前記底壁は、前記押込穴を画成する前記第１ケースの内側壁の一部、または前記押込穴を画成する前記第２ケースの内側壁の一部である、
ことを特徴とする取付物の固定構造。
【発明の詳細な説明】
【技術分野】
【０００１】
本発明は、モータ等の取付物をこの取付物が取り付けられる回路基板等の被取付物に固定するための固定構造に関するものである。
【背景技術】
【０００２】
従来、取付対象物、例えばモータは、各種ＯＡ機器、家電製品、自動車等の分野におけるアクチュエータ部品として利用されている。自動車等の車両には、車両速度及びエンジン回転数等の計測値を表示する車両用計器装置が搭載されており、この車両用計器装置においては、文字板の前面に配置される指針を駆動する内機としてステッピングモータなどが用いられている。
【０００３】
この種のステッピングモータ１２０は、図５に示すように、計器装置の回路基板１３０などに取り付けられるモータ本体１２１と、モータ本体１２１から突出しかつ前記指針などを取り付ける出力軸１２２を有している。
【０００４】
上記ステッピングモータ１２０の端子１２４と回路基板１３０の導体パターンとを接続する際には、端子１２４を回路基板１３０に設けられた端子孔１６０に挿通するとともに、該端子１２４と端子孔１６０との間の部分を、半田１４０及び半田こて１５０を用いてろう付けする。しかしながら、従来のろう付けに用いられる半田１４０には、環境負荷物質である鉛が含まれていたが、近年の地球環境保護への関心の高まりから、前述した半田１４０を使用しない接続構造が要望されていた（例えば、特許文献１を参照）。
【０００５】
ところで、車載用コンビネーションメータの指針駆動用ムーブメント構造として、図６に示すようなムーブメント４００がある。
このムーブメント４００には、ケース４１０の両側面から固定爪４２０が突出しており、この固定爪４２０を回路基板５００に穿設した固定孔５１０に挿入させることで、ムーブメント４００を回路基板５００に固定させるようになっており（図６（Ａ）、（Ｂ）参照。）、固定作業が容易に行えるものである。
【０００６】
このようなムーブメント４００を回路基板５００に固定させる固定構造について、図７を参照しながら説明する。
１）同図（Ａ）に示すように、回路基板５００に挿入される前の固定爪４２０は略円筒形状に形成されており、固定爪４２０の内孔４２１には内孔４２１の内面に沿って降下可能なロック駒４３０が上部に係止されている。
２）このような固定爪４２０を有するムーブメント４００のケース４１０を回路基板５００に固定させるには、同図（Ｂ）に示すように、ロック駒４３０を内孔４２１の奥部（最下部）へ向けて挿入させる。
３）即ち、ロック駒挿入棒４４０のような適宜の治具を用いてロック駒４３０を上から下方へ押し込むように押し出すと、同図（Ｃ）に示すように、ロック駒４３０が内孔４２１を奥部である下端、つまり先端爪部４２２のところまで押し出されたところで停止する。
４）これにより、固定爪４２０には開く方向に圧力が作用し、回路基板５００にしっかりとロックされるので、ムーブメント４００を回路基板５００に固定させることができる。
【先行技術文献】
【特許文献】
【０００７】
【特許文献１】特開２００７−２０２３２３号公報
【発明の概要】
【発明が解決しようとする課題】
【０００８】
しかしながら、上記のような構成の固定構造によれば、例えば温度変化によってムーブメント４００のロック駒４３０及び固定爪４２０が膨張・収縮を繰り返し、ロック駒４３０と固定爪４２０内部との接触圧力の低下による保持力低下でロック駒４３０が脱落し、ロック機能が発揮できずに振動や衝撃などで回路基板５００からムーブメント４００が抜け出して脱落するなどの虞がある。
【０００９】
本発明は、上述した事情に鑑みてなされたものであり、その目的は、外部環境などの温度変化などの影響を受けることなく、基板にしっかりと、がたつきなく固定可能な取付物の固定構造を提供することにある。
【課題を解決するための手段】
【００１０】
前述した目的を達成するために、本発明に係る取付物の固定構造は、下記（１）〜（２）を特徴としている。
（１）  取付物のケースに設けた固定爪部材を、被取付物に設けた固定孔に挿入し、前記取付物を前記被取付物に固定させる固定構造であって、
前記固定爪部材は、ロック駒が挿入される押込穴を有し、
前記押込穴の内側壁には、該押込穴の内側に向って突出する隔壁が形成され、
前記ロック駒は、治具によって前記押込穴に押し込まれて前記隔壁を乗り越えた後、該治具と前記押込穴の底壁によって挟まれ拡径方向に変形することによって、前記押込穴への挿入方向とは反対方向への移動を妨げるように前記ロック駒が前記隔壁に係止するとともに、変形する前記ロック駒によって前記押込穴の内側から押圧される前記固定爪部材が前記固定孔に係止する、
こと。
（２）  取付物のケースに設けた固定爪部材を、被取付物に設けた固定孔に挿入し、前記取付物を前記被取付物に固定させる固定構造であって、
前記固定爪部材は、ロック駒が挿入される押込穴を有し、
前記押込穴の内側壁には、該押込穴の内側に向って突出する隔壁が形成され、
前記ロック駒は、治具によって前記押込穴に押し込まれて前記隔壁を乗り越えた後、該治具と前記押込穴の底壁によって挟まれ変形することによって、前記押込穴への挿入方向とは反対方向への移動を妨げるように前記ロック駒が前記隔壁に係止するとともに、変形する前記ロック駒によって前記押込穴の内側から押圧される前記固定爪部材が前記固定孔に係止し、
前記取付物は、第１ケースと第２ケースを組み合わせて一体に形成され、
前記第１ケース及び第２ケースの一部はそれぞれ、前記固定爪部材の一部を形成するとともに、該第１ケース及び該第２ケースを組み合わせることによって前記ロック駒が挿入される前記押込穴が形成され、
前記隔壁は、前記押込穴を画成する前記第１ケースの内側壁の一部、または前記押込穴を画成する前記第２ケースの内側壁の一部に形成され、
前記底壁は、前記押込穴を画成する前記第１ケースの内側壁の一部、または前記押込穴を画成する前記第２ケースの内側壁の一部である、
こと。
【００１１】
上記（１）、（２）の構成の取付物の固定構造によれば、ロック駒が治具で押込穴内に押し込まれて隔壁を乗り越え、最終的なロック位置に到達すると、このロック駒が押し込まれている固定爪部材の一部を、変形したロック駒が外方へ押し出して被取付物の固定孔に押し付けるので、外部環境などの温度変化などの影響を受けることなく、取付物を被取付物にしっかりと固定して組付けることが可能となる。
【発明の効果】
【００１２】
本発明の取付物の固定構造によれば、固定爪部材は、中央部にロック駒が挿入される押込穴を有するとともに、その押込穴にはロック駒が最終的に押し込まれる一部の近傍に隔壁を突設しており、ロック駒は治具で押込穴内に押し込まれて隔壁を乗り越えて最奥部に達すると、このロック駒が押し込まれている一部がロック駒からの応力で外方へ押し出されて被取付物に設けた固定孔を押し付けるので、外部環境などの温度変化などの影響を受けることなく、しっかりと基板に固定して組付けることが可能となる。しかも、本発明の取付物の固定構造によれば、取付物をがたつくことなく固定させることが可能になるので、異音の発生なども防止でき、高品質の固定構造が実現できる。
【００１３】
以上、本発明について簡潔に説明した。更に、以下に説明される発明を実施するための形態を添付の図面を参照して通読することにより、本発明の詳細は更に明確化されるであろう。
【図面の簡単な説明】
【００１４】
【図１】本発明の実施形態に係る取付物の固定構造が適用された計器ユニットの分解斜視図である。
【図２】その計器ユニットを回路基板に取り付けるときの状態を示す斜視図である。
【図３】（Ａ）及び（Ｂ）は、図２に示す計器ユニットの固定爪部材（下ケース両側に設けた半円筒突起）の内部にロック駒が押し込まれる前の状態及び押し込まれた最終的な状態を示す説明図である。
【図４】（Ａ）〜（Ｄ）は、図２に示す計器ユニットを回路基板に取り付けるときの固定作業の工程を示す説明図である。
【図５】従来の計器装置の回路基板への半田による取付方法を示す断面図である。
【図６】（Ａ）及び（Ｂ）は指針駆動用ムーブメント構造の取付構造を示す説明図である。
【図７】（Ａ）乃至（Ｃ）はその固定作業方法を示す説明図である。
【発明を実施するための形態】
【００１５】
以下、本発明の実施形態について、添付図面を参照しながら詳細に説明する。
図１及び図２は、本発明の実施形態に係る取付物の固定構造が適用された計器ユニット１を示すものである。
計器ユニット１は、本発明の取付物を構成するものであって、ステップモータ５、減速ギア列、及び回転軸８などのムーブメント部品が、モータケース４に収容されたものである。
【００１６】
計器ユニット１が装着されるメータ装置は、図２に示す、本発明の被取付物を構成する回路基板（以下、基板２と略す）上に実装された光源３と、この光源３が搭載された領域を含む基板２上の所定場所に取付けられた取付物を構成する上述の計器ユニット１と、この計器ユニット１の上部に設置された、数字、文字、目盛りなど、車自体或いは車周辺の環境などに関する必要情報を表示する図示外の表示板と、を有する。
【００１７】
本実施形態の計器ユニット１が適用されるメータ装置は、図示外のコンビネーションメータの一部を構成しており、表面側を形成する表示板が全面に亘って嵌め込まれて見返し板を構成している。また、この表示板には、計器ユニット１を含む各種計器類を設置するための各種表示窓を開口させており、側面及び背面側を構成するコンビネーションメータケースと一体化されている。更に、この表示板は、黒色系などの透明な図示外のカバーガラスで上部が覆われている。
【００１８】
なお、本実施形態の計器ユニット１が適用されるメータ装置は、例えば速度計を構成している。この場合、図示しないセンサによって検出された現在速度に対応したセンサ信号に基づき、後述の指針を所定角度だけ回動させ、図示外の表示板に形成された特定の数字を指し示すことによって現在速度をアナログ表示する。
【００１９】
光源３は、所定波長（λ）の可視光を出射する例えばＬＥＤ（Light Emitting Diode；発光ダイオード）で構成されており、後述する回転軸８の下側の端面８Ｄに正対するような状態でその直下の基板２に実装されている。なお、光源３であるＬＥＤは、光軸が基板２の上面に対して垂直なＺ方向に設定されており、このＬＥＤからの主要な大部分の光（以下、照明光とよぶ）が、直上の回転軸８の受光部分をなす、下側の端面８Ｄに向けて出射される。なお、この回転軸８の下側の端面８Ｄから入射した照明光は、モータケース４の上部から突出した回転軸８の上側の先端８Ａまで導光され、この上側の先端８Ａに圧入された図示外の指針が発光照明されるように構成されている。
【００２０】
モータケース４は、基板２に固設されるものであって、第１ケースを構成する下ケース４Ａと、この下ケース４Ａに重ねられる第２ケースを構成する上ケース４Ｂとで構成されており、これらのケースを上下積層させた状態で一体に組み合わされている。このモータケース４の内部には、ステップモータ５と、中間ギア６と、出力ギア７と、この出力ギア７が一体に形成された回転軸（但し、上側の先端は除く）８と、を収容している。
【００２１】
下ケース４Ａは、上方が開口された略箱型形状を呈している。また、下ケース４Ａには、下面から下方（−Ｚ方向）に向けて突出する半円筒突起９Ａを左右両側面の部分に設けており、後述する上ケース４Ｂの半円筒突起９Ｂと組み合わされて円筒状の固定爪部材９が形成され、この固定爪部材９が基板２に開口された各固定孔２１にそれぞれ嵌入されるように構成されている。
【００２２】
また、下ケース４Ａの内部には、下面に形成された図示外の凹部の中央部から上ケース４Ｂ方向に向けて円筒状に突出する軸受け４２が形成されている。なお、この軸受け４２には、回転軸８の下側を回転自在に支持する軸孔４２Ａ（図１参照）が穿設されている。さらに、この下ケース４Ａの内面には、図１に示すように、上ケース４Ｂ方向に向けて僅かに円筒状に突出した軸受け４３、軸受け４４がそれぞれ所定位置に形成されている。
【００２３】
一方、上ケース４Ｂには、下ケース４Ａの凹部の中心部に設けた軸受け４２の軸孔４２Ａに対応してその直上部分に軸孔４５を穿設しており、この軸孔４５には回転軸８の上側が回転可能な状態で貫通している。さらに、この上ケース４Ｂには、下ケース４Ａの軸受け４３、軸受け４４に対応してその直上部分の内面（天井面）に、図示外の軸受けがそれぞれ形成されている。また、本発明の上ケース４Ｂには、下方（−Ｚ方向）に向けて突出する半円筒突起９Ｂが左右両側面の部分にそれぞれ設けられている。
【００２４】
なお、固定爪部材９を構成する半円筒突起９Ａ及び半円筒突起９Ｂは、上下のケース４Ａ、４Ｂが組み合わされて一体に組み合わされた後でも、互いに密着された状態になっているだけであって、外方に向けて僅かに拡径可能な構成となっている。
【００２５】
下ケース４Ａの半円筒突起９Ａは、図３に示すように、固定爪部材９の一方の半割体を構成するものであり、略半円筒形状を呈している。この半円筒突起９Ａには、同じく他方（相手側）の半割体を構成する上ケース４Ｂの半円筒突起９Ｂと組み合わせたときに押込穴９０を構成する内側壁９１の他に、隔壁９２および底壁９３を内側壁９１の一部に設けている。また、本実施形態の半円筒突起９Ａには、後述のロック駒１０を軽く係止されて一時的に仮置き（或いは仮止め）させておくために、押込穴９０の上部と下部との内径寸法を異ならせた縮径テーパ部９５を内側壁９１の一部に形成している。半円筒突起９Ａ及び半円筒突起９Ｂを組み合わせて固定爪部材９を形成することにより、上下のケース４Ａ、４Ｂのいずれか一方に固定爪部材９を形成する場合には成形工程の型抜きの必要性から底を貫通させた孔にしなければならなかった押込穴を、底壁９３が形成されたものにすることができる。
【００２６】
内側壁９１は、上ケース４Ｂの半割体である半円筒突起９Ｂ側の内側壁９４（図４参照）とによって、略円筒形状の押込穴９０を画成するものであり、ロック駒１０が、この押込穴９０の内部を下方（-Ｚ方向）に向けて押し込まれていき、最下部（最奥部）のロック位置でロックされる。
【００２７】
隔壁９２は、後述するロック駒１０が下方（-Ｚ方向）にのみ移動するのを許容し反対方向へ移動するのを阻止するものであり、下ケース４Ａの半円筒突起９Ａ側に形成されている。隔壁９２は、ロック駒１０が棒状の治具１１などで押込穴９０内部の内側壁に沿って押し込まれたときに、この隔壁９２を乗り越えて下方へ移動するのを許容するとともに、上方へ逆戻りするのを防止可能な形状、例えば下方へ向けて傾斜する突起状のものとされている。
【００２８】
底壁９３は、ロック駒１０が最終的に落とし込まれるロック位置に形成されており、これ以上押し込まれようとしても、押込穴９０から下方の外部にロック駒１０が脱落することを防止する。
【００２９】
上ケース４Ｂの半円筒突起９Ｂは、隔壁９２及び底壁９３が形成されていない点及び外面にロック用の突起９６を形成している点などを除き、基本的には内部構造が下ケース４Ａの半円筒突起９Ａと同等の形状、略半円筒形状を呈しており、下ケース４Ａの半円筒突起９Ａと組み合わせたときに押込穴９０を画成する内側壁９４を有している。
【００３０】
ロック駒１０は、棒状の治具１１などで押込穴９０に押し込まれることで、固定爪部材９の押込穴９０に設けた隔壁を乗り越える弾性変形可能な形状を有している。本実施形態のロック駒１０は、適宜の樹脂材料を用いて形成されており、例えば図３に示すように、挿入する際の先端部とは反対の基端部側を２つに（或いは３つ以上でもよい）に分割させた溝１０Ａを形成することで可撓性を付与するように構成されている。なお、本実施形態のロック駒１０は、後述する治具１１によって一定の押込み力を溝１０Ａに作用させることで、溝１０Ａの両側の部分（半月体）が押し開かれた状態を維持する。基端部が押し開かれたロック駒１０が隔壁９２に係止することによって、ロック駒１０が上方へ逆戻りすることを防止することができる。
【００３１】
治具１１は、例えば図４に示すように、少なくとも押込穴９０の外径寸法より小さな外径寸法を有する略棒状の構成であって、先端側は、ロック駒１０の溝１０Ａに入り込んで溝１０Ａの両側のロック駒１０の基端部を押し広げることができるように、尖ったテーパ形状を有している。このように、ロック駒１０を押し広げることで、ロック位置に落とし込ませたロック駒１０が押込穴９０のロック位置から上方へ抜け出すのを防止するとともに、ロック位置にロック駒１０を落とし込ませることで、半円筒突起９Ａ及び半円筒突起９Ｂを外方に向けて押し広げた拡径状態とし、固定爪部材９が基板２の固定孔２１から脱出するのを阻止するようになっている。
【００３２】
ステップモータ５は、回転軸８（最終的には図示外の指針）を回動させるためのものであり、減速ギア列、即ち中間ギア６及び出力ギア７（特にこれらのギア列ではなく、単一のギアで減速させる構成でもよい）を介して減速させながら回転軸８を回動させる。そして、この回転軸８を回動させることにより、これと一体の指針を表示板の表面に沿って回動させ、必要な各種情報を指し示すようになっている。本実施形態のステップモータ５は、図１に示すように、ステータ５１と、このステータ５１の開口された中央部の図示しないロータ軸に取り付けられたロータ５２と、を備えている。
【００３３】
ステータ５１は、下ケース４Ａに固定されているとともに開口された内部に磁極となる磁芯が突設されており、この磁芯にはボビンに巻装されたコイル５１Ａが装着されている。
【００３４】
ロータ５２は、適宜の磁性材料で略円筒形状に形成されてステータ５１の開口された中央部に回転自在に設置されており、上部には歯数の少ない小径のロータギア５３が同芯状に固設されているとともに、外周面には図示外のマグネットを複数固着させている。なお、ロータ５２を取付けた図示外のロータ軸は、下ケース４Ａに設けた軸受け４３及び上ケース４Ｂに設けた図示外の軸受けの間に回転自在に軸支されている。
【００３５】
中間ギア６は、図示外の支軸に固着されており、この支軸が下ケース４Ａに設けた軸受け４４及び上ケース４Ｂに設けた図示外の軸受けの間に回転自在に軸支されている。この中間ギア６は、外周に設けた歯数の多い大歯６１が、ロータ５２の上部に固着した小歯のロータギア５３に噛合しており、ロータ５２からの回転速度が減速されて伝達される。また、この中間ギア６の上部には、歯数の少ない小径のピニオン６２が支軸と一体に同軸的に固着されている。
【００３６】
出力ギア７は、中間ギア６のピニオン６２からの回転力を回転軸８に伝達させるため、回転軸８の中間付近においてこの回転軸８と一体に形成されている。本実施形態の出力ギア７は、適宜の透明樹脂材料により、後述する導光機能を有する回転軸８と一体成形されている。尚、出力ギア７と回転軸８とは一体に成形されている場合について説明するが、別体としてそれぞれ形成しておき、回転軸８を出力ギア７に貫通して固着させるように装着する構成でもよい。
【００３７】
また、この出力ギア７は、外周に設けた歯数の多い大歯７１が、中間ギア６の上部に設けたピニオン６２に噛合しており、中間ギア６の回転速度がさらに減速されて伝達され回転する。このため、この出力ギア７と一体に形成された回転軸８は、大幅に減速された出力ギア７と同一角速度で一体に回動し、高い精度で指針を回動させることができる。
【００３８】
回転軸８は、導光性に優れた適宜の透光性（若しくは導光性）樹脂材料で出力ギア７と一体に成形されている。具体的には、回転軸８は出力ギア７の円盤状のギア本体から上方および下方にそれぞれ突出するように設けられており、ギア本体に対して垂直上方に延びる回転軸８の上側の軸芯、ギア本体に対して垂直下方に延びる回転軸８の下側の軸芯、およびギア本体のギア軸とは同一直線上に位置する。そして、この回転軸８は、光源３からの照明光を指針まで導光させるために略円柱形状を有している。
【００３９】
この回転軸８は、所要の光量を確保するため、導光機能を持たない回転軸に比べて外径（特に下部側の外径も太くしている）を太くしている。このように、回転軸８の下部側の外径寸法を大径にしているので、小径寸法のものよりも光源３からの照明光に対する受光効率が高まる。
【００４０】
また、この回転軸８は、上述したように、上側の先端８Ａ側が上ケース４Ｂの軸孔４５からケース４の外部に突出しており、表示板の表面まで突出するその先端８Ａに指針が組付けられている。また、この回転軸８は、上側が上ケース４Ｂ側の軸孔４５に回転自在に軸支されており、また下側が下ケース４Ａに設けた軸受け４２の軸孔４２Ａに回転自在に軸支されている。
【００４１】
前述したように、この回転軸８は、下側の端面８Ｄが光源３の直上に設置されて正対している。従って、光源３からの照明光がこの端面８Ｄに入射すると、その照明光の大部分が回転軸８の内部の外周面との界面部分で反射（例えば、全反射或いは正反射等）を繰り返しながら導光され、上側の先端へ向けて伝搬していく。
【００４２】
次に、本実施形態の計器ユニット１を基板３へ固定させる組付け方法及びこれに伴う作用について、図４を参照しながら説明する。
１）下ケース４Ａ及び上ケース４Ｂを組み合わせて一体化してなるケース４を基板２に固定させて組付けるため、まず、ロック駒１０を押込穴９０に挿入させる。すると、ロック駒１０が縮径テーパ部９５に仮止めされる（図４（Ａ）参照）。なお、ここでの組付け作業前に予めロック駒１０を押込穴９０に挿入しておいて仮止めしておくようにしてもよい。
２）この状態で、ケース４の両側の固定爪部材９を基板２の固定孔２１にそれぞれ嵌入させるように押し込む（同図（Ｂ）参照）。
３）その後、棒状の治具１１を固定爪部材９の押込穴９０に上から挿入し、その先でロック駒１０を押し出すようにして、下方へ押し込んでいく。そして、固定爪部材９の押込穴９０に設けた隔壁９２を乗り越えるまで押し込ませる（同図（Ｃ）参照）。
４）最後に、治具１１の先端側をロック駒１０の溝１０Ａに強く押し込んで入り込ませることで、溝１０Ａの両側のロック駒１０の基端部（半月体）を押し広げる。このように、ロック駒１０の溝１０Ａの両側部分を押し広げることで、ロック駒１０は、基端部が押し広がった状態で維持される。そのため、押し広がったロック駒１０の基端部が隔壁９２に係止するため、ロック位置にロック駒１０を確実にロック状態で保持させることができる。これにより、落とし込ませたロック駒１０が押込穴９０のロック位置から上方へ抜け出すのを防止できるようになる。さらに、ロック位置にロック駒１０を落とし込ませて押し広げることで、半円筒突起９Ａ及び半円筒突起９Ｂが押込穴９０の内側から押圧され、外方に向けて押し広げた拡径状態となる。その結果、固定爪部材９が基板２の固定孔２１から脱出するのを阻止することができる。
【００４３】
以上、説明してきたように、本実施形態によれば、ロック駒１０が治具１１で押込穴９０内を押し込まれて隔壁９２を乗り越えると、固定爪部材９は、このロック駒１０が押し込まれている一部がロック駒１０からの応力で外方へ押し出されて基板２に設けた固定孔２１を押し付ける。これにより、計器ユニット１は、外部環境などの温度変化などの影響を受けることなく、しっかりと基板２に固定されて組付けることが可能となる。
【００４４】
しかも、本実施形態の取付物の固定構造によれば、計器ユニット１は基板２にがたつきなく固定させることが可能になるので、固定爪部材９の押込穴９０の内径寸法を調整することで、或いはロック駒１０の外径寸法を調整することで、異音の発生なども防止でき、高品質の固定構造が実現できる。
【００４５】
さらに、本実施形態の取付物の固定構造によれば、計器ユニット１を設置する車両の自体の振動に伴って計器ユニット１の固定爪部材９などに二次的な振動が発生するのを回避可能となるので、指針のブレなども防止でき、指針精度が高まる。
【００４６】
また、本実施形態の取付物の固定構造によれば、回転軸８が指針と一体化される構成となっており、振動の発生が頻繁に予想される計器ユニット１を設置する車両内でも、回転軸８と光源３との間の受光量、受光効率の変動を可及的に抑制させることが可能となり、常時安定した指針発光照明が実現可能となる。
【００４７】
なお、本発明は上述した実施形態に何ら限定されるものではなく、その要旨を逸脱しない範囲において種々の形態で実施し得るものである。例えば、上述した実施形態では、隔壁９２及び底壁９３を下ケース４Ａの半円筒突起９Ａに形成する構造としたが、隔壁９２及び底壁９３を上ケース４Ｂの半円筒突起９Ｂに形成する構造であってもよいし、隔壁９２を下ケース４Ａの半円筒突起９Ａまたは上ケース４Ｂの半円筒突起９Ｂの一方に形成するとともに底壁９３を下ケース４Ａの半円筒突起９Ａまたは上ケース４Ｂの半円筒突起９Ｂの他方に形成する構造であってもよい。
【００４８】
また、本発明の計器ユニットとしては、例えば、燃料計部、タコメータ部、スピードメータ部、及び水温計等の各種計器類への適用が可能である。また、本実施形態では、取付物は計器ユニットで構成したが、例えば各種タイプのモータで構成するものであってもよいし、それ以外の各種電子機器や電気機器であっても構わない。同様に、本実施形態では、被取付物を配線板などの回路基板で構成したが、特にこれに限定されるものでもない。
【符号の説明】
【００４９】
１  計器ユニット
２  基板
２１  固定孔
３  光源
４  モータケース
４Ａ  下ケース
４Ｂ  上ケース
４２  軸受け
４２Ａ  軸孔
５  ステップモータ
５１  ステータ
５２  ロータ
６  中間ギア
７  出力ギア
８  回転軸
８Ｄ  端面
９  固定爪部材
９Ａ  半円筒突起
９Ｂ  半円筒突起
９０  押込穴
９１、９４  内側壁
９２  隔壁
９３  底壁
９５  縮径テーパ部
９６  ロック用の突起
１０  ロック駒
１０Ａ  溝
１１  治具
【図１】
0005723122.tif 000002
【図２】
0005723122.tif 000003
【図３】
0005723122.tif 000004
【図４】
0005723122.tif 000005
【図５】
0005723122.tif 000006
【図６】
0005723122.tif 000007
【図７】
0005723122.tif 000008